(57)【要約】【課題】子供に対する安全性を向上できる包装容器を提供する。【解決手段】軸方向Ａの両端を開口する筒状の外箱１０と、外箱１０の内面に面した収納部２１を凹設して外箱１０に嵌合する内箱２０とを備えた包装容器１において、外箱１０が軸方向Ａの両端から内側に折曲される側面フラップ１２ａ、１２ｂ、１４ａ、１４ｂ（第１外箱フラップ）を有するとともに、内箱２０が収納部２１の周壁２９に連設して側面フラップ１２ａ、１２ｂ、１４ａ、１４ｂ上に折曲される前面フラップ２６ｂ（内箱フラップ）及び背面フラップ２７ｂ（内箱フラップ）を有し、前面フラップ２６ｂ及び背面フラップ２７ｂの先端に折曲により内箱２０と外箱１０との間に挿入される前面挿入片２６ｃ（内箱挿入片）及び背面挿入片２７ｃ（内箱挿入片）をそれぞれ設けた。【選択図】図８
2018008707.tif 000002
【特許請求の範囲】
【請求項１】
軸方向の両端を開口する筒状の外箱と、前記外箱の内面に面した収納部を凹設して前記外箱に嵌合する内箱とを備えた包装容器において、
前記外箱が前記軸方向の両端から内側に折曲される第１外箱フラップを有するとともに、前記内箱が前記収納部の周壁に連設して前記第１外箱フラップ上に折曲される内箱フラップを有し、前記内箱フラップの先端に折曲により前記内箱と前記外箱との間に挿入される内箱挿入片を設けたことを特徴とする包装容器。
【請求項２】
前記第１外箱フラップの先端に折曲により前記内箱と前記外箱との間に挿入される外箱挿入片を設けたことを特徴とする請求項１に記載の包装容器。
【請求項３】
前記内箱挿入片が挿入されるスリットを有して前記外箱の前記軸方向の両端から内側に折曲される第２外箱フラップを設けたことを特徴とする請求項１または請求項２に記載の包装容器。
【請求項４】
前記外箱及び前記内箱の前記軸方向に垂直な断面形状が四角形に形成されることを特徴とする請求項１〜請求項３のいずれかに記載の包装容器。
【請求項５】
前記外箱の対向する二つの側面板にそれぞれ前記第１外箱フラップが連設され、前記収納部の開口端に前記内箱フラップが連設されることを特徴とする請求項４に記載の包装容器。
【請求項６】
前記断面形状が点対称な形状に形成され、前記内箱挿入片が根元側の両端部に切込みにより形成される爪部を有するとともに、前記第１外箱フラップが前記爪部に係合する係合部を根元側の両端部に有することを特徴とする請求項４または請求項５に記載の包装容器。
【発明の詳細な説明】
【技術分野】
【０００１】
本発明は、商品を包装する包装容器に関する。
【背景技術】
【０００２】
従来の包装容器は特許文献１に開示されている。この包装容器は筒状の外箱に側面の一部を開口した収納部を有する内箱が嵌合する。内箱をスライドさせることにより外箱から内箱が引き出され、内箱の側面の開口を介して収納部内の内容物を取り出すことができる。
【先行技術文献】
【特許文献】
【０００３】
【特許文献１】実開昭５２−２５１３０号（第２頁〜第４頁、第３図）
【発明の概要】
【発明が解決しようとする課題】
【０００４】
しかしながら、上記従来の包装容器によると、内箱の一端を牽引または押圧するだけで内箱をスライドさせることができる。このため、幼児等の子供が簡単に内箱を取り出すことができ、子供による内容物の誤飲等が生じる問題があった。
【０００５】
本発明は、子供に対する安全性を向上できる包装容器を提供することを目的とする。
【課題を解決するための手段】
【０００６】
上記目的を達成するために本発明は、
軸方向の両端を開口する筒状の外箱と、前記外箱の内面に面した収納部を凹設して前記外箱に嵌合する内箱とを備えた包装容器において、
前記外箱が前記軸方向の両端から内側に折曲される第１外箱フラップを有するとともに、前記内箱が前記収納部の周壁に連設して前記第１外箱フラップ上に折曲される内箱フラップを有し、前記内箱フラップの先端に折曲により前記内箱と前記外箱との間に挿入される内箱挿入片を設けたことを特徴としている。
【０００７】
この構成によると、内箱の収納部内に内容物が収納される。内箱は外箱の開口を介して外箱内に挿入され、外箱の軸方向にスライドされて外箱に嵌合する。この時、第１外箱フラップが内側に向けて折曲され、内箱フラップが第１外箱フラップ上に折曲される。そして、内箱フラップの先端の内箱挿入片が内箱と外箱との間に挿入される。
【０００８】
また本発明は、上記構成の包装容器において、前記第１外箱フラップの先端に折曲により前記内箱と前記外箱との間に挿入される外箱挿入片を設けると好ましい。
【０００９】
また本発明は、上記構成の包装容器において、前記内箱挿入片が挿入されるスリットを有して前記外箱の前記軸方向の両端から内側に折曲される第２外箱フラップを設けると好ましい。
【００１０】
また本発明は、上記構成の包装容器において、前記外箱及び前記内箱の前記軸方向に垂直な断面形状が四角形に形成されると好ましい。
【００１１】
また本発明は、上記構成の包装容器において、前記外箱の対向する二つの側面板にそれぞれ前記第１外箱フラップが連設され、前記収納部の開口端に前記内箱フラップが連設されると好ましい。
【００１２】
また本発明は、上記構成の包装容器において、前記断面形状が点対称な形状に形成され、前記内箱挿入片が根元側の両端部に切込みにより形成される爪部を有するとともに、前記第１外箱フラップが前記爪部に係合する係合部を根元側の両端部に有すると好ましい。
【発明の効果】
【００１３】
本発明によると、外箱が内側に折曲される第１外箱フラップを有し、内箱が第１外箱フラップ上に折曲される内箱フラップを有する。また、内箱フラップの先端には内箱と外箱との間に挿入される内箱挿入片が設けられる。これにより、内箱の一端を牽引または押圧しても内箱をスライドさせることができず、幼児等の子供が容易に内箱を取り出すことができない。したがって、包装容器の子供に対する安全性を向上させることができる。
【図面の簡単な説明】
【００１４】
【図１】本発明の第１実施形態の包装容器を示す斜視図
【図２】本発明の第１実施形態の包装容器の外箱を示す斜視図
【図３】本発明の第１実施形態の包装容器の内箱を示す斜視図
【図４】本発明の第１実施形態の包装容器の外箱のブランク板を示す展開図
【図５】本発明の第１実施形態の包装容器の内箱のブランク板を示す展開図
【図６】本発明の第１実施形態の包装容器を示す側面断面図
【図７】本発明の第１実施形態の包装容器の第１外箱フラップ及び内箱フラップを開いた状態を示す斜視図
【図８】本発明の第１実施形態の包装容器の内箱を外箱から引き出している状態を示す斜視図
【図９】本発明の第２実施形態の包装容器の外箱のブランク板を示す展開図
【図１０】本発明の第３実施形態の包装容器の外箱のブランク板を示す展開図
【図１１】本発明の第３実施形態の包装容器の内箱のブランク板を示す展開図
【図１２】本発明の第４実施形態の包装容器の外箱のブランク板を示す展開図
【発明を実施するための形態】
【００１５】
＜第１実施形態＞
以下に図面を参照して本発明の実施形態を説明する。図１は第１実施形態の包装容器の斜視図を示している。包装容器１は筒状の外箱１０と外箱１０に嵌合する内箱２０とを備えている。外箱１０及び内箱２０はそれぞれ紙製のブランク板１００、２００（図４、図５参照）を折り曲げて形成される。
【００１６】
図２は外箱１０の斜視図を示している。外箱１０は軸方向Ａの両端に開口部１１ａを開口する胴部１１を有する。胴部１１は側面板１２、天面板１３、側面板１４及び底面板１５から成る複数の周面板が折り線９０（図４参照）を介して順に連設される。側面板１２には底面板１５に連設される糊代片１６が接着され、胴部１１が筒状に形成される。これにより、外箱１０の軸方向Ａに垂直な断面形状が矩形に形成される。
【００１７】
側面板１２の軸方向Ａの両端には折り線９０（図４参照）を介して側面フラップ１２ａ、１２ｂ（第１外箱フラップ）がそれぞれ連設される。側面板１４の軸方向Ａの両端には折り線９０（図４参照）を介して側面フラップ１４ａ、１４ｂ（第１外箱フラップ）がそれぞれ連設される。側面フラップ１２ａ、１２ｂ、１４ａ、１４ｂは折り線９０を介して外箱１０の内側に向けて折曲される。
【００１８】
側面フラップ１２ａ、１２ｂの根元側（側面板１２側）の一端部には、後述する前面挿入片２６ｃの爪部２６ｅ（図３参照）及び背面挿入片２７ｃの爪部（不図示）に係合する係合部１２ｃが設けられる。側面フラップ１４ａ、１４ｂの根元側（側面板１４側）の一端部には、爪部２６ｅ及び背面挿入片２７ｃの爪部に係合する係合部１４ｃが設けられる。
【００１９】
天面板１３の上面（外面）及び側面板１２、１４の外面には商品に関する情報及び後述する内箱２０の引き出し方法に関する情報が印刷される。これにより、内容物である商品について訴求できるとともに、高齢者を含む大人が容易に内箱２０を引き出すことができる。なお、印刷に替えて、天面板１３の上面（外面）及び側面板１２、１４の外面に上記の情報を印刷したシート等を貼着してもよい。
【００２０】
図３は内箱２０の斜視図を示している。内箱２０は軸方向Ａに垂直な断面が矩形に形成され、上面を開口して内容物（不図示）を収納する収納部２１が凹設される。これにより、収納部２１は外箱１０の天面板１３の内面に面して配される。内容物に特に限定はないが、例えば医薬品類、化粧品類等を挙げることができる。なお、内容物が液状の場合にはボトル等の液体収納容器（不図示）に収納され、内容物を収納した液体収納容器が収納部２１内に収納される。
【００２１】
収納部２１は底壁２８の周縁から立設した周壁２９により囲まれる。周壁２９は前面部２６、背面部２７及び側面部２２、２４により形成される。前面部２６の上端には前面フラップ２６ｂ（内箱フラップ）が設けられる。背面部２７の上端には背面フラップ２７ｂ（内箱フラップ）が設けられる。これにより、前面フラップ２６ｂ及び背面フラップ２７ｂは収納部２１の周壁２９に連設される。すなわち、前面フラップ２６ｂ及び背面フラップ２７ｂは収納部２１の開口端に連設される。
【００２２】
図４及び図５は外箱１０及び内箱２０の展開図をそれぞれ示している。外箱１０を形成するブランク板１００及び内箱２０を形成するブランク板２００は紙製のシートを打ち抜いて形成される。
【００２３】
ブランク板１００、２００の材質に特に限定はないが、例えばマニラボール、ボール紙、カード紙、クラフトボール等の板紙や薄い段ボール紙を用いることができる。また、薄い透明な樹脂シートによりブランク板１００、２００を形成してもよい。透明な樹脂シートの材質として例えばＰＥＴ（ポリエチレンテレフタレート）やＰＰ（ポリプロピレン）を用いることができる。これにより、顧客等は包装容器１に収納された内容物を容易に視認することができる。なお、不透明な樹脂シートによりブランク板１００、２００を形成してもよい。また、ブランク板２００の材質とブランク板１００の材質とは異なってもよい。
【００２４】
ブランク板１００は側面板１２、天面板１３、側面板１４、底面板１５及び糊代片１６が折り線９０を介して順に連設される。側面板１２の前方（図中、下方）及び後方（図中、上方）には折り線９０を介して側面フラップ１２ａ、１２ｂがそれぞれ連設される。側面板１４の前方及び後方には折り線９０を介して側面フラップ１４ａ、１４ｂがそれぞれ連設される。
【００２５】
側面板１２は天面板１３の内面側に向けて折り線９０で折り曲げられ、底面板１５は側面板１４の内面側に向けて折り線９０で折り曲げられる。そして、接着剤等により糊代片１６の外面を側面板１２の内面に接着する。
【００２６】
これにより、外箱１０は胴部１１が扁平に押し潰された扁平状態に形成される。外箱１０は容積の小さい扁平状態（折り畳み体）で輸送や保管が行われるとともに、減容化して廃棄される。
【００２７】
扁平状態の外箱１０を左右端の折り線９０が互いに接近する方向に手指で押さえると、胴部１１が筒状に起こされる。これにより、側面板１２、１４が天面板１３及び底面板１５に対して略垂直に配される。
【００２８】
ブランク板２００は補強板２８ｂ、内面板２４ｂ、外面板２４ａ、底面板２８ａ、外面板２２ａ、内面板２２ｂ及び折返し片２２ｄが折り線９０を介して順に連設される。補強板２８ｂの一側端には凸部２８ｃが形成され、内面板２２ｂと折返し片２２ｄとの境界には両端を折り線９０上に配したコ字状の切込み２２ｅが形成される。
【００２９】
底面板２８ａの前方（図中、下方）及び後方（図中、上方）には折り線９０を介してそれぞれ前面板２６ａ及び背面板２７ａが連設される。前面板２６ａの上方（図中、下方）には折り線９０を介して前面フラップ２６ｂが連設され、前面フラップ２６ｂの下端には折り線９０を介して前面挿入片２６ｃが連設される。前面フラップ２６ｂと前面挿入片２６ｃとの境界の折り線９０の両側方には切込み２６ｆが形成される。切込み２６ｆは該折り線９０の両側方で該折り線９０よりも前面挿入片２６ｃの先端側に配され、前面フラップ２６ｂの側端に到達している。
【００３０】
背面板２７ａの上方には折り線９０を介して背面フラップ２７ｂが連設され、背面フラップ２７ｂの下端（図中、上端）には折り線９０を介して背面挿入片２７ｃが連設される。背面フラップ２７ｂと背面挿入片２７ｃとの境界の折り線９０の両側方には切込み２７ｆが形成される。切込み２７ｆは該折り線９０の両側方で該折り線９０よりも背面挿入片２７ｃの先端側に配され、背面フラップ２７ｂの側端に到達している。
【００３１】
前面板２６ａの両側方には折り線９０を介して側面フラップ２６ｇが連設される。背面板２７ａの両側方には折り線９０を介して側面フラップ２７ｇが連設される。
【００３２】
前面板２６ａ及び背面板２７ａは底面板２８ａから折曲して立設される。前面板２６ａ及び背面板２７ａによって収納部２１の前面部２６（図３参照）及び背面部２７（図３参照）が形成される。
【００３３】
側面フラップ２６ｇ、２７ｇはそれぞれ前面板２６ａ及び背面板２７ａの内面側に向けて折り線９０で折曲される。前面フラップ２６ｂ及び背面フラップ２７ｂはそれぞれ前面板２６ａ及び背面板２７ａの外面側に向けて折り線９０で折曲される。
【００３４】
次に、外面板２２ａ、２４ａが底面板２８ａから折曲して立設され、内面板２２ｂ、２４ｂが外面板２２ａ、２４ａの内面上に重ねて折曲される。外面板２２ａ及び内面板２２ｂにより側面部２２（図３参照）が形成され、外面板２４ａ及び内面板２４ｂにより側面部２４（図３参照）が形成される。
【００３５】
この時、左方の側面フラップ２６ｇ及び左方の側面フラップ２７ｇは外面板２２ａと内面板２２ｂとの間に配され、右方の側面フラップ２６ｇ及び右方の側面フラップ２７ｇは外面板２４ａと内面板２４ｂとの間に配される。
【００３６】
また、折返し片２２ｄは底面板２８ａ上に重ねて折り線９０で折曲され、切込み２２ｅによってスリット２２ｆ（図３参照）が形成される。補強板２８ｂは底面板２８ａ上に重ねて折り線９０で折曲され、凸部２８ｃがスリット２２ｆに挿入される。底面板２８ａ及び補強板２８ｂによって収納部２１の底壁２８（図３参照）が形成される。この時、折返し片２２ｄの上方に補強板２８ｂが配され、内面板２２ｂ、２４ｂの浮き上がりが防止される。以上により、図３に示す内箱２０が形成される。
【００３７】
収納部２１（図３参照）内に内容物を収納した内箱２０は底面板１５と底壁２８とが対向するように開口部１１ａ（図２参照）を介して外箱１０に挿入される。次に、外箱１０の側面フラップ１２ａ、１２ｂ、１４ａ、１４ｂが内側に向けて折り線９０で折曲される。
【００３８】
その後、前面フラップ２６ｂが折り線９０を介して側面フラップ１２ａ、１４ａ上に折曲され、前面挿入片２６ｃが外箱１０の底面板１５と内箱２０の底壁２８との間に挿入される。また、背面フラップ２７ｂが折り線９０を介して側面フラップ１２ｂ、１４ｂ上に折曲され、背面挿入片２７ｃが外箱１０の底面板１５と内箱２０の底壁２８との間に挿入される。
【００３９】
この時、切込み２６ｆにより前面挿入片２６ｃの根元側の両端部に形成される爪部２６ｅ（図３参照）が側面フラップ１２ａ、１４ａの係合部１２ｃ、１４ｃに係合する。また、切込み２７ｆにより背面挿入片２７ｃの根元側の両端部に形成される爪部（不図示）が側面フラップ１２ｂ、１４ｂの係合部１２ｃ、１４ｃに係合する。これにより、前面挿入片２６ｃ及び背面挿入片２７ｃが抜け止めされる。
【００４０】
以上により、図１に示す包装容器１が形成される。なお、粘着テープ部材等を用いて外箱１０と内箱２０とを接着してもよい。
【００４１】
図６は包装容器１の後部の側面断面図を示している。なお、包装容器１の前部の構成も後部の構成と同様であるため、包装容器１の後部を代表して説明する。側面フラップ１４ｂは背面板２７ａと背面フラップ２７ｂとの間に配され、背面挿入片２７ｃは底面板１５と底面板２８ａとの間で挟持される。この時、背面挿入片２７ｃの爪部２７ｅは側面フラップ１４ｂの係合部１４ｃに係合する。これにより、外箱１０の開口部１１ａは前面フラップ２６ｂ及び背面フラップ２７ｂにより閉じられる。
【００４２】
開口部１１ａが閉じられた包装容器１から内容物を取り出す際に、使用者は前面挿入片２６ｃ及び背面挿入片２７ｃを外箱１０と内箱２０との間から抜き出す。図７はこの時の包装容器１の斜視図を示している。そして、使用者は前面部２６または背面部２７を牽引または押圧して軸方向Ａに内箱２０をスライドさせる。図８はこの時の包装容器１の斜視図を示している。これにより、内箱２０の収納部２１の上面が開かれて包装容器１が開封され、使用者は収納部２１から内容物を取り出すことができる。
【００４３】
開口部１１ａが閉じられた包装容器１は外箱１０の天面板１３と内箱２０との隙間及び底面板１５と内箱２０との隙間が視認される。このため、包装容器１の開封方法を知らない使用者は通常前面フラップ２６ｂまたは背面フラップ２７ｂ上を押圧して内箱２０のスライドを試みる。この時、側面フラップ１２ａ、１２ｂ、１４ａ、１４ｂにより内箱２０のスライドが規制され、内箱２０をスライドさせることができない。したがって、幼児等の子供が内箱２０を容易に引き出すことができないため、子供による内容物の誤飲等を防止することができる。
【００４４】
一方、前面挿入片２６ｃ及び背面挿入片２７ｃを抜き出す簡単な方法で包装容器１が開封される。このため、高齢者を含む大人は内箱２０のスライド規制がされると、前面挿入片２６ｃ及び背面挿入片２７ｃを抜き出すことを容易に理解できる。また、内箱２０の引き出し方法を当初理解できない場合でも、包装容器１に印刷された内箱２０の引き出し方法に関する情報を見ることで理解することができる。
【００４５】
本実施形態によると、外箱１０が内側に折曲される側面フラップ１２ａ、１２ｂ、１４ａ、１４ｂ（第１外箱フラップ）を有する。内箱２０が側面フラップ１２ａ、１４ａ上に折曲される前面フラップ２６ｂ（内箱フラップ）及び側面フラップ１２ｂ、１４ｂ上に折曲される背面フラップ２７ｂ（内箱フラップ）を有する。また、前面フラップ２６ｂ及び背面フラップ２７ｂの先端には内箱２０と外箱１０との間に挿入される前面挿入片２６ｃ（内箱挿入片）及び背面挿入片２７ｃ（内箱挿入片）がそれぞれ設けられる。これにより、内箱２０の一端を牽引または押圧しても内箱２０をスライドさせることができず、幼児等の子供が容易に内箱２０を取り出すことができない。したがって、包装容器１の子供に対する安全性を向上させることができる。
【００４６】
また、外箱１０及び内箱２０の軸方向Ａに垂直な断面形状が矩形に形成される。このため、第１外箱フラップ（側面フラップ１２ａ、１２ｂ、１４ａ、１４ｂ）の形成面に隣接した面に内箱フラップ（前面フラップ２６ｂ、背面フラップ２７ｂ）を設けることができ、第１外箱フラップ上に広い面積で重なる内箱フラップを容易に実現することができる。これにより、内箱２０をより確実にスライド規制することができる。
【００４７】
なお、外箱１０及び内箱２０の軸方向Ａに垂直な断面形状が他の四角形（台形または平行四辺形等）でもよい。また、第１外箱フラップと内箱フラップとの重なる面積が小さくなるが、外箱１０及び内箱２０の軸方向Ａに垂直な断面形状が六角形等の他の多角形でもよい。
【００４８】
また、外箱１０の対向する側面板１２、１４に側面フラップ１２ａ、１２ｂ、１４ａ、１４ｂが連設され、収納部２１の開口端（周壁２９の上端）に前面フラップ２６ｂ及び背面フラップ２７ｂが連設される。これにより、前面挿入片２６ｃ及び背面挿入片２７ｃを収納部２１の開口面に対向する底壁２８側に挿入することができ、包装容器１の美観を向上することができる。なお、前面フラップ２６ｂ及び背面フラップ２７ｂを内箱２０の底壁２８に連設してもよい。
【００４９】
＜第２実施形態＞
次に本発明の第２実施形態について説明する。図９は第２実施形態の包装容器１の外箱１０の展開図を示している。説明の便宜上、図１〜図８に示す第１実施形態と同様の部分には同一の符号を付している。本実施形態では、側面フラップ１２ａ、１２ｂ、１４ａ、１４ｂの構成が第１実施形態とは異なっている。その他の部分は第１実施形態と同様である。
【００５０】
側面フラップ１２ａ、１２ｂの左右方向（図中、上下方向）の長さは天面板１３及び底面板１５の左右方向の長さと略同じになっている。側面フラップ１２ａ、１２ｂの先端には内箱２０の側面部２４と外箱１０の側面板１４との間に挿入される側面挿入片１２ｇ（外箱挿入片）が折り線９０を介して連設される。また、側面挿入片１２ｇの上下方向（図中、左右方向）の長さは側面フラップ１２ａ、１２ｂの上下方向（図中、左右方向）の長さよりも短くなっている。
【００５１】
また、側面フラップ１４ａ、１４ｂ上には両端を折り線９０上に配したコ字状の切込み１４ｄが設けられる。
【００５２】
図９のブランク板１００において、側面フラップ１４ａ、１４ｂを折り線９０を介して側面板１４の内面側に折曲した際に切込み１４ｄによりスリット１４ｅ（不図示）が形成される。前方及び後方の側面挿入片１２ｇはそれぞれ前方及び後方のスリット１４ｅに挿入されて内箱２０と外箱１０との間に配される。この時、側面挿入片１２ｇの上下端はスリット１４ｅの上下端に当接する。これにより、内箱２０をより確実にスライド規制することができる。
【００５３】
なお、側面フラップ１４ａ、１４ｂを省いてもよい。この場合、側面挿入片１２ｇを内箱２０と外箱１０との間に直接挿入する。
【００５４】
本実施形態でも第１実施形態と同様の効果を得ることができる。また、側面フラップ１２ａ、１２ｂの先端に内箱２０と外箱１０との間に挿入される側面挿入片１２ｇ（外箱挿入片）を連設している。これにより、内箱２０をより確実にスライド規制することができる。したがって、包装容器１の子供に対する安全性をより向上させることができる。
【００５５】
なお、本実施形態では側面フラップ１２ａ、１２ｂの先端に側面挿入片１２ｇを連設するとともに側面フラップ１４ａ、１４ｂにスリット１４ｅを形成しているが、これに替えて、側面フラップ１４ａ、１４ｂの先端に側面挿入片１２ｇと同様の側面挿入片を連設し、側面フラップ１２ａ、１２ｂにスリット１４ｅと同様のスリットを形成してもよい。
【００５６】
＜第３実施形態＞
次に本発明の第３実施形態について説明する。図１０及び図１１は第３実施形態の包装容器１の外箱１０及び内箱２０の展開図をそれぞれ示している。説明の便宜上、図１〜図８に示す第１実施形態と同様の部分には同一の符号を付している。本実施形態では、外箱１０の底面板１５に底面フラップ１５ａを連設している点で第１実施形態とは異なっている。また、内箱２０の前面挿入片２６ｃ及び背面挿入片２７ｃの構成が第１実施形態とは異なっている。その他の部分は第１実施形態と同様である。
【００５７】
外箱１０の底面板１５の前方（図中、下方）及び後方（図中、上方）には折り線９０を介して底面フラップ１５ａ（第２外箱フラップ）が連設される。底面フラップ１５ａ上には両端を折り線９０上に配したコ字状の切込み１５ｂが設けられる。また、内箱２０の前面挿入片２６ｃ及び背面挿入片２７ｃの左右方向の長さは前面フラップ２６ｂ及び背面フラップ２７ｂの左右方向の長さよりも短くなっている。
【００５８】
図１０のブランク板１００において、底面フラップ１５ａを折り線９０を介して底面板１５の内面側に折曲した際に切込み１５ｂによりスリット１５ｃ（不図示）が形成される。前面挿入片２６ｃ及び背面挿入片２７ｃはそれぞれ前方及び後方のスリット１５ｃに挿入されて内箱２０と外箱１０との間に配される。この時、前面挿入片２６ｃ及び背面挿入片２７ｃの両側端はスリット１５ｃの両側端に当接する。これにより、内箱２０をより確実にスライド規制することができる。
【００５９】
本実施形態でも第１実施形態と同様の効果を得ることができる。また、前面挿入片２６ｃ（内箱挿入片）及び背面挿入片２７ｃ（内箱挿入片）が挿入されるスリット１５ｃを有する底面フラップ１５ａ（第２外箱フラップ）を設けている。これにより、内箱２０をより確実にスライド規制することができる。したがって、包装容器１の子供に対する安全性をより向上させることができる。
【００６０】
なお、第２実施形態の外箱１０に本実施形態の底面フラップ１５ａと同様の底面フラップを設けてもよい。また、第２実施形態の内箱２０の前面挿入片２６ｃ及び背面挿入片２７ｃを本実施形態の前面挿入片２６ｃ及び背面挿入片２７ｃと同様に構成してもよい。
【００６１】
＜第４実施形態＞
次に本発明の第４実施形態について説明する。図１２は第４実施形態の包装容器１の外箱１０の展開図を示している。説明の便宜上、図１〜図８に示す第１実施形態と同様の部分には同一の符号を付している。本実施形態では、側面フラップ１２ａ、１２ｂ、１４ａ、１４ｂ（第１外箱フラップ）の構成が第１実施形態とは異なっている。その他の部分は第１実施形態と同様である。
【００６２】
外箱１０及び内箱２０の軸方向Ａに垂直な断面形状は矩形や平行四辺形等の点対称な形状に形成される。側面フラップ１２ａ、１２ｂの根元側（側面板１２側）の両端部には、前面挿入片２６ｃの爪部２６ｅ（図３参照）及び背面挿入片２７ｃの爪部に係合する係合部１２ｃが設けられる。側面フラップ１４ａ、１４ｂの根元側（側面板１４側）の両端部には、爪部２６ｅ及び背面挿入片２７ｃの爪部に係合する係合部１４ｃが設けられる。
【００６３】
これにより、使用者が外箱１０の底面板１５を上にして内箱２０を外箱１０に嵌合させた場合でも爪部２６ｅ及び背面挿入片２７ｃの爪部は係合部１２ｃ、１４ｃに係合することができる。
【００６４】
本実施形態でも第１実施形態と同様の効果を得ることができる。また、外箱１０及び内箱２０の軸方向Ａに垂直な断面形状が点対称な形状に形成され、側面フラップ１２ａ、１２ｂ、１４ａ、１４ｂ（第１外箱フラップ）が爪部２６ｅ及び背面挿入片２７ｃの爪部に係合する係合部１２ｃ、１４ｃを根元側の両端部に有する。これにより、使用者が外箱１０の底面板１５を上にして内箱２０を外箱１０に嵌合させた場合でも爪部２６ｅ及び背面挿入片２７ｃの爪部は係合部１２ｃ、１４ｃに係合することができる。したがって、前面挿入片２６ｃ及び背面挿入片２７ｃがより確実に抜け止めされる。
【００６５】
なお、本実施形態において、第２実施形態の側面挿入片１２ｇと同様の側面挿入片を設け、スリット１４ｅと同様のスリットを設けてもよい。
【００６６】
また、本実施形態の外箱１０に第３実施形態の底面フラップ１５ａと同様の底面フラップを設けてもよい。また、本実施形態の内箱２０の前面挿入片２６ｃ及び背面挿入片２７ｃを第３実施形態の前面挿入片２６ｃ及び背面挿入片２７ｃと同様に構成してもよい。
【産業上の利用可能性】
【００６７】
本発明は、商品を包装する包装容器に利用可能である。
【符号の説明】
【００６８】
１        包装容器
１０      外箱
１１      胴部
１２、１４    側面板
１２ａ、１２ｂ、１４ａ、１４ｂ    側面フラップ（第１外箱フラップ）
１２ｃ、１４ｃ    係合部
１２ｇ    側面挿入片（外箱挿入片）
１３      天面板
１５      底面板
１５ａ    底面フラップ（第２外箱フラップ）
１５ｂ    切込み
１６      糊代片
２０      内箱
２１      収納部
２２、２４    側面部
２２ａ、２４ａ    外面板
２２ｂ、２４ｂ    内面板
２６      前面部
２６ａ    前面板
２６ｂ    前面フラップ（内箱フラップ）
２６ｃ    前面挿入片（内箱挿入片）
２６ｅ    爪部
２６ｆ    切込み
２６ｇ    側面フラップ
２７      背面部
２７ａ    背面板
２７ｂ    背面フラップ（内箱フラップ）
２７ｃ    背面挿入片（内箱挿入片）
２７ｆ    切込み
２７ｇ    側面フラップ
２８      底壁
２８ａ    底面板
２８ｂ    補強板
２９      周壁
９０      折り線
１００、２００    ブランク板
【図１】
2018008707.tif 000003
【図２】
2018008707.tif 000004
【図３】
2018008707.tif 000005
【図４】
2018008707.tif 000006
【図５】
2018008707.tif 000007
【図６】
2018008707.tif 000008
【図７】
2018008707.tif 000009
【図８】
2018008707.tif 000010
【図９】
2018008707.tif 000011
【図１０】
2018008707.tif 000012
【図１１】
2018008707.tif 000013
【図１２】
2018008707.tif 000014